(57)【要約】【目的】ヘッドのロフト角を切り替えることを可能とすること及びシャフトの長さを可変とすることで、ウッド、アイアン、パターの番手の全て又は一部の機能を果たすことのできるゴルフクラブを提供すること。【構成】請求項１記載の発明は、シャフトと該シャフトに対して回動可能に取り付けたヘッドとによりなるゴルフクラブにおいて、シャフトの下端に複数の係止溝を有する係止部材を設け、ヘッド裏面に設けられ弾性体により付勢された板体が係止溝に嵌まり込むことでヘッドの回動を所定位置で固定するように設けた。又請求項２記載の発明は請求項１記載のゴルフクラブにおいて、シャフトの上端部に対して摺動自在な外周部を設け、当該外周部を所定位置で固定することで外周部を含めた意味でのシャフトの長さを可変とした。【選択図】        図３
2007105070.tif 000002
【特許請求の範囲】
【請求項１】
シャフトと該シャフトに対して回動可能に取り付けたヘッドとによりなるゴルフクラブであって、シャフトの下端に複数の係止溝を有する係止部材を設け、ヘッド裏面に設けられ弾性体により付勢された板体が係止溝に嵌まり込むことでヘッドの回動を所定位置で固定するようにしたゴルフクラブ。
【請求項２】
シャフトの上端部に対して摺動自在な外周部を設け、当該外周部を所定位置で固定することでシャフトの長さを可変とした請求項１記載のゴルフクラブ。
【発明の詳細な説明】
【技術分野】
【０００１】
本発明はヘッドのロフト角を切り替えることが可能であると共に、シャフトの長さを変更することが可能なゴルフクラブに関する。
【背景技術】
【０００２】
ヘッドのロフト角が変更可能なゴルフクラブに関する発明として、以下のようなものがある。
【０００３】
特開平９-１０３２５０号公報記載の発明はシャフトとヘッドとを球状体を介して連結している。又、特開２０００-１２６３４１号公報記載の発明は、ナットとネジを介してヘッドを取り付けた回転軸を回転させ、ロフト角を調節するものである。
【特許文献１】特開平９-１０３２５０号公報
【特許文献２】特開２０００-１２６３４１号公報
【発明の開示】
【発明が解決しようとする課題】
【０００４】
一般的なゴルフクラブはシャフトとヘッドが固定されており、又シャフトの長さも変更できない。よってゴルファーはゴルフボールを打つ状況ごとに、最適なヘッドのロフト角を有し且つ最適なシャフト長を有する番手のゴルフクラブを選択使用していた。
【０００５】
かように複数の番手のクラブが必要なことから、ゴルファーは多数本のゴルフクラブを用意し搬送することを余儀なくされていた。これは重量的にも負担であり、又キャディーを雇うと経済的にも負担が大きなものであった。
【０００６】
そこで本発明はヘッドのロフト角を切り替えることを可能とすること及びシャフトの長さを可変とすることで、ウッド、アイアン、パターの番手の全て又は一部の機能を果たすことのできるゴルフクラブを提供することを目的とする。
【課題を解決するための手段】
【０００７】
上記課題を解決するために請求項１記載の発明は、シャフトと該シャフトに対して回動可能に取り付けたヘッドとによりなるゴルフクラブにおいて、シャフトの下端に複数の係止溝を有する係止部材を設け、ヘッド裏面に設けられ弾性体により付勢された板体が係止溝に嵌まり込むことでヘッドの回動を所定位置で固定するように設けた。
【０００８】
又請求項２記載の発明は請求項１記載のゴルフクラブにおいて、シャフトの上端部に対して摺動自在な外周部を設け、当該外周部を所定位置で固定することで外周部を含めた意味でのシャフトの長さを可変とした。
【発明の効果】
【０００９】
本発明は上述のようにヘッドがシャフトに対して回動可能であり、しかも所定位置で固定できる構造になっている。ゆえに例えばアイアンの各種番手に応じたロフト角でヘッドを固定することが可能である。しかもシャフトの上端部に取り付けた外周部をシャフトに沿って動かすことでシャフトの長さを変更することが可能であることから、アイアンの各種番手に応じたシャフト長に設定することが可能である。以上のように本発明に係るゴルフクラブ一本で各番手のアイアンと同様の機能を果たすことができるのである。
【００１０】
かように本発明に係るゴルフクラブはウッド、アイアン、パターの番手の全て又は一部の機能を果たすことができることから、本発明に係るゴルフクラブ一本のみでプレーが可能である。つまりは多数本のゴルフクラブを入れた重量の大きいゴルフバッグを運搬する必要がなく、気軽にしかも経済的負担少なくゴルフを楽しむことが可能となるのである。
【発明を実施するための最良の形態】
【００１１】
以下好ましい発明の一実施形態につき図面を参照しながら述べる。
【００１２】
図１は本発明のヘッド付近の正面図であり、図２は同背面図であり、図３は同左側面図であり、図４は図３におけるＡ−Ａ線断面図であり、図５はヘッドの角度を種々切り替えた状態を示す説明図であり、図６は本発明のグリップ付近の構成図であり、図７は本発明の正面図である。
【００１３】
本発明に係るゴルフクラブ３０はシャフト１０の上端にグリップ１２を、下端に回動可能なヘッド２０を有するものである。
【００１４】
ヘッド２０を回動可能とするために図４に示すようにシャフト１０の下端縁１０ａをヘッド２０内に挿入してある。下端縁１０ａは円柱状であるため、ヘッド２０は下端縁１０ａを中心軸として回動するものである。
【００１５】
この際ヘッド２０がシャフト１０から抜けないようにするためにシャフト１０には溝１３が設けてある。この溝１３にヘッド２０に設けた鍔部２１が嵌ることでヘッドの抜けが防止されるのである。更にヘッド２０と下端縁１０ａはピン２２によりヘッド２０が回動可能な形態で固定され、ヘッド２０が抜けることが防止されている。つまりピン２２の下端縁１０ａに挿入される部分２２ａにはねじ山が設けられていることからピン２２が抜けることはなく、他方でピン２２のヘッド２０内に挿入される部分２２ｂにはねじ山が設けられていないことからヘッド２０は回動可能となるのである。尚、ピン２２のヘッド２０に挿入される部分には球状部２２ｃが設けてある。この球状部２２ｃがヘッド２０に係止されることでピン２２が抜けることが防止されるものである。
【００１６】
シャフト１０の下部には側面視した状態で扇型をなす盤体である係止部材１１が取り付けてある。この係止部材１１はヘッド２０を所定角度で固定するための部材である。
【００１７】
図３に示すように係止部材１１には複数の溝部１１ａが設けてある。この係止溝１１ａにヘッド２０の背面に設けた板体２３が嵌まり込むことで、ヘッド２０の回動を所定位置で固定するのである。
【００１８】
板体２３はヘッド２０の背面側に設けられたガイド２４に沿って図２でいえば左右方向に摺動するものである。板体２３は弾性体２５により係止部材１１方向に付勢されている。板体２３が係止溝１１ａにはまった状態を維持するためである。弾性体２５はばねを使用しており、一方端部は板体２３に他方端部はヘッド２０の背面に設けられた凸部たる留材２６に取り付けられている。
【００１９】
板体２３の図２で言えば上部にはつまみ部２３ａが設けられている。このつまみ部２３ａは、板体２３を係止溝１１ａから抜く際に用いるものである。つまりつまみ部２３ａを手で持ち、図２でいえば右方向にずらすことで係止溝１１ａから板体２３が抜けるのである。
【００２０】
ここにつまみ部２３ａは中途から折り曲げ自在に構成されており、折り曲げた部分をヘッド２０の背面に設けた凹部２７に嵌め込み板体２３が係止溝１１ａから抜けた状態を維持するものである。凹部２７は板体２３を係止溝１１ａから抜いた状態でつまみ部２３ａが位置する付近に設けてある。かように板体２３を抜いた状態すなわちヘッド２０が回動可能な状態で板体２３を維持することが可能であることから、使用者は容易にヘッド２０のロフト角を変更することが可能となる。使用者は所望のロフト角にヘッド２０を合わせつまみ部２３ａを凹部２７から外すと、弾性体２５で付勢された板対２３は係止溝１１ａにはまり込むのである。
【００２１】
尚、係止溝11ａはゴルフクラブの各番手に対応するロフト角に応じて複数個設けられており、図５ａ、ｂ、ｃに示すようにヘッド２０を様々なロフト角で固定すること可能となるのである。
【００２２】
図６は本発明に係るゴルフクラブのグリップ付近の構成を示すものである。シャフト１０の上端部１０ｂ、すなわちヘッド２０を取り付けた側の反対側端部は中空の箱体である中箱４０内に装入される。この際シャフト１０に設けた孔１４と中箱４０に設けた孔４１、及びシャフト１０に設けた孔１５ａ、１５ｂ、１５ｃ、１５ｄ・・・と中箱４０に設けた孔４２ａ、４２ｂ、４２ｃ、４２ｄ・・・が重なる形態で装入し、孔１４および孔４１にピン４３を嵌め込むことでシャフト１０と中箱４０を固定するものである。
【００２３】
ここに孔１５ａ、１５ｂ、１５ｃ、１５ｄ・・・、孔４２ａ、４２ｂ、４２ｃ、４２ｄ・・・は必要なシャフト長を得るために必要な個数設けるものであり、図６に示されるように４個に限定を受けるものではない。
【００２４】
そして中箱４０には中箱４０に対して摺動自在な形態で、中空の箱体たる外周部４４が被せてある。外周部４４に設けた孔４４ａと中箱４０の孔４２ａ、４２ｂ、４２ｃ、４２ｄ・・・とは、外周部４４を摺動させると重なる位置に設けてある。そして孔４４ａと孔４２ａ、４２ｂ、４２ｃ、４２ｄ・・・のうちのひとつとを重ね合わせた状態でピン４５を嵌め込み、外周部４４を固定し必要なシャフト長を得るものである。ここにシャフト長とはシャフト１０と外周部４４の長さをあわせた長さをいうものである。
【００２５】
尚、中箱４０は外周部４４と箱体同士を重ね合わせることで、外周部４４がシャフト１０の軸心周りに回転してしまうことを防止するために介在させたものであるが、中箱４０がなくともシャフト長の変更という本発明の目的は達成可能なものである。
【００２６】
外周部４４の周面には使用者が握りやすいよう、孔４４ａの部分を除きラバーを巻きつけ図７に示すように円柱状のグリップ１２にすることが好ましい。
【図面の簡単な説明】
【００２７】
【図１】本発明のヘッド付近の正面図。
【図２】同背面図。
【図３】同左側面図。
【図４】図３におけるＡ−Ａ線断面図。
【図５】ヘッドの角度を種々切り替えた状態を示す説明図。
【図６】本発明のグリップ付近の構成図。
【図７】本発明の正面図。
【符号の説明】
【００２８】
１０・・シャフト      １０ｂ・・上端部
１１・・係止部材      １１ａ・・係止溝      
２０・・ヘッド      ２３・・板体
２５・・弾性体      ３０・・ゴルフクラブ  
４４・・外周部    
【図１】
2007105070.tif 000003
【図２】
2007105070.tif 000004
【図３】
2007105070.tif 000005
【図４】
2007105070.tif 000006
【図５】
2007105070.tif 000007
【図６】
2007105070.tif 000008
【図７】
2007105070.tif 000009